(57)【要約】【課題】小型化を達成した装置とする。【解決手段】電池収容部２００が、グリップ部側に配置される電池２００−１，２００−２の本数が、グリップ部から装置長手方向において遠い側に配置される電池２００−３〜２００−６よりもその本数が少なくなるように、複数の電池を収容し、縦位置撮影用操作部材１０１−１，１０１−２が、少ない本数の電池２００−１，２００−２が配置されるグリップ部側に配置される構成にしている。【選択図】図５
2006220759.tif 000002
【特許請求の範囲】
【請求項１】
撮影装置に装着された際に、該撮影装置のグリップ部側に配置される縦位置撮影用操作部材と、
電池長手方向が当該電源補助装置の装置長手方向と略一致する方向となり、かつ、前記装置長手方向と直交する光軸方向に並んで同一形状の複数の電池を収容する電池収容部と、
を有し、前記撮影装置に対して着脱自在の電源補助装置であって、
前記電池収容部は、前記グリップ部側に配置される前記電池の本数が、前記グリップ部から前記装置長手方向において遠い側に配置される前記電池の本数よりも少なくなるように、前記複数の電池を収容し、
前記縦位置撮影用操作部材は、少ない本数の前記電池が配置される前記グリップ部側に配置されることを特徴とする電源補助装置。
【請求項２】
前記縦位置撮影用操作部材は、少ない本数の前記電池を挟んで、前記光軸方向の被写体側に配置される第１の操作部材と前記光軸方向の撮影者側に配置される第２の操作部材とにより構成されており、
前記第１の操作部材と前記グリップ部から前記装置長手方向において遠い側に配置される前記電池は、前記装置長手方向から投影した場合に、それぞれの投影像の少なくとも一部が重なるように配置されていることを特徴とする請求項１に記載の電源補助装置。
【請求項３】
前記電池収容部は、前記装置長手方向より装置本体に着脱されるものであり、かつ、前記装置本体に装着された際に該装置本体と前記電池とを電気的に接続する電源接続部を有し、
前記電源接続部は、前記グリップ部側に配置された前記電池、前記グリップ部から前記装置長手方向において遠い側に配置された前記電池、および、前記第１の操作部材に囲まれた領域に配置されることを特徴とする請求項２に記載の電源補助装置。
【請求項４】
グリップ部側に配置される縦位置撮影用操作部材と、
電池長手方向が当該撮影装置の装置長手方向と略一致する方向となり、かつ、前記装置長手方向と直交する光軸方向に並んで同一形状の複数の電池を収容する電池収容部と、
を有する撮影装置であって、
前記電池収容部は、前記グリップ部側に配置される前記電池の本数が、前記グリップ部から前記装置長手方向において遠い側に配置される前記電池の本数よりも少なくなるように、前記複数の電池を収容し、
前記縦位置撮影用操作部材は、少ない本数の前記電池が配置される前記グリップ部側に配置されることを特徴とする撮影装置。
【請求項５】
前記縦位置撮影用操作部材は、少ない本数の前記電池を挟んで、前記光軸方向の被写体側に配置される第１の操作部材と前記光軸方向の撮影者側に配置される第２の操作部材とにより構成されており、
前記第１の操作部材と前記グリップ部から前記横方向において遠い側に配置される前記電池は、前記横方向から投影した場合に、それぞれの投影像の少なくとも一部が重なるように配置されていることを特徴とする請求項４に記載の撮影装置。
【請求項６】
前記電池収容部は、前記横方向より装置本体に着脱されるものであり、かつ、前記装置本体に装着された該装置本体と前記電池とを電気的に接続する電源接続部を有し、
前記電源接続部は、前記グリップ部側に配置された前記電池、前記グリップ部から前記装置長手方向において遠い側に配置された前記電池、および、前記第１の操作部材に囲まれた領域に配置されることを特徴とする請求項５に記載の撮影装置。
【発明の詳細な説明】
【技術分野】
【０００１】
本発明は、縦位置撮影用操作部材を具備した電源補助装置および撮影装置に関するものである。
【背景技術】
【０００２】
近年のデジタルカメラは高機能化等により消費電流が増大する傾向にあり、これに伴い撮影可能枚数が少なくなっている。このため、カメラに電池を収容した外付けの電源補助装置を装着し、撮影可能枚数を大幅に増やす使い方をする撮影者が増えている。また、高級機のカメラでは、縦位置撮影用操作部材を具備した電源収容部をカメラと一体型にしたタイプが主流となっている。
【０００３】
カメラに装着可能な電源補助装置の従来例として、当該電源補助装置の長手方向（装置長手方向）に３種類の電池を配置可能（その際、２種類の電池を同時に収容する場合にはその長手方向（電池長手方向）が前記装置長手方向と一致する方向に配置され、１種類の電池を収容する場合には電池長手方向が前記装置長手方向と直交する方向（光軸方向）に並置される）とすると共に、カメラのグリップ部側に配置される電池の本数と該グリップ部側から前記装置長手方向において遠い側に配置される電池の本数が同数となるように構成されたものが開示されている（特許文献１）。そして、この電源補助装置の前記グリップ部側には、当該電源補助装置が装着されたカメラが縦位置の姿勢で使用される際に操作される縦位置撮影用操作部材が配置されている。
【０００４】
その他の従来例としては、電源補助装置の長手方向に複数の電池を配置したものにおいて、該電池の長手方向が前記装置長手方向と直交する方向（光軸方向）となるように構成されたものが開示されている（特許文献２）。
【特許文献１】特開２０００−８９２８８号公報
【特許文献２】特開２００３−１９５３９８号公報
【発明の開示】
【発明が解決しようとする課題】
【０００５】
しかしながら、特許文献１の電源補助装置のような電池配置とし、前記縦位置撮影用操作部材をカメラのグリップ部側に具備した構成では、当該電源補助装置の長手方向の小型化が困難であった。また、前記縦位置撮影用操作部材を、前記電池を挟んだ光軸方向の前後の位置に配置、詳しくは被写体側と撮影者側の外側に配置して、前記長手方向の長さを短くする構成も考えられるが、この場合には、前記光軸方向に大型化してしまい、好ましくない。
【０００６】
また、特許文献２の電源補助装置に、上記縦位置撮影用操作部材を具備しようとした場合、電池長手方向が光軸方向であるので、上記特許文献１の場合と同様、光軸方向の小型化が困難であった。また、これを避けるために装置長手方向と電池長手方向が一致するようにその方向に複数の電池を配置し、カメラのグリップ部側に前記縦位置撮影用操作部材を配置しようとしても、上記特許文献１の場合と同様、グリップ部側と該グリップ部側から前記装置長手方向において遠い側に同数の電池が配置される構成である限り、当該電源補助装置の長手方向の小型化が困難であった。
【０００７】
（発明の目的）
本発明の目的は、小型化を達成することのできる電源補助装置および撮影装置を提供しようとするものである。
【課題を解決するための手段】
【０００８】
上記目的を達成するために、請求項１に記載の発明は、撮影装置に装着された際に、該撮影装置のグリップ部側に配置される縦位置撮影用操作部材と、電池長手方向が当該電源補助装置の装置長手方向と略一致する方向となり、かつ、前記装置長手方向と直交する光軸方向に並んで同一形状の複数の電池を収容する電池収容部とを有し、前記撮影装置に対して着脱自在の電源補助装置であって、前記電池収容部が、前記グリップ部側に配置される前記電池の本数が、前記グリップ部から前記装置長手方向において遠い側に配置される前記電池の本数よりも少なくなるように、前記複数の電池を収容し、前記縦位置撮影用操作部材が、少ない本数の前記電池が配置される前記グリップ部側に配置される電源補助装置とするものである。
【０００９】
同じく上記目的を達成するために、請求項４に記載の発明は、グリップ部側に配置される縦位置撮影用操作部材と、電池長手方向が当該撮影装置の装置長手方向と略一致する方向となり、かつ、前記装置長手方向と直交する光軸方向に並んで同一形状の複数の電池を収容する電池収容部とを有する撮影装置であって、前記電池収容部が、前記グリップ部側に配置される前記電池の本数が、前記グリップ部から前記装置長手方向において遠い側に配置される前記電池の本数よりも少なくなるように、前記複数の電池を収容し、前記縦位置撮影用操作部材が、少ない本数の前記電池が配置される前記グリップ部側に配置される撮影装置とするものである。
【発明の効果】
【００１０】
本発明によれば、小型化を達成することができる電源補助装置および撮像装置を提供できるものである。
【発明を実施するための最良の形態】
【００１１】
本発明を実施するための最良の形態は、以下の実施例１および２に記載する通りである。
【実施例１】
【００１２】
図１〜図７は本発明の実施例１に係わる縦位置撮影用操作部材を具備する電源補助装置および該電源補助装置が装着される撮影装置を示す図である。
【００１３】
図１は電源補助装置の外観斜視図であり、図３は電源補助装置を撮影装置に装着した状態の外観正面図である。
【００１４】
電源補助装置１００には、電池長手方向が当該電源補助装置１００の長手方向（装置長手方向）と略一致する方向となり、かつ、前記装置長手方向と直交する光軸方向に並んで配置される同一形状の複数の電池を保持する電池収容部である電池マガジン（図４にて後述）が挿入されており、電池マガジン外観部１００−１には、挿入操作部材１００−２が設けられている。撮影者が電源補助装置１００を、図３に示すように撮影装置１１０に装着する際、三脚ダイヤル１００−３を操作することで、三脚ネジ１００−４が撮影装置１１０の不図示の三脚ネジ取付部と固定される。不図示の三脚ネジ取付部が固定される際には、公知の技術で外部接続部１００−５に配置された電源接続部および電気信号接続部が撮影装置１１０の不図示の電気接続部と接触し、電源供給、制御通信可能となり、電源補助装置１００が機能可能な状態となる。
【００１５】
図２は、図１とは別の角度から見た電源補助装置１００の外観斜視図である。
【００１６】
撮影装置１１０に電源補助装置１００を装着した際、後述する縦位置撮影用操作部材を作動可能とするために、電源補助装置１００には縦位置切り換えスイッチ１０１−６が設けられており、この縦位置切り換えスイッチ１０１−６を使用可能位置へ切り換えることで、電源補助装置１００を利用した撮影が可能となる。電源補助装置１００の光軸方向の被写体側には、縦位置撮影用操作部材の一部である、レリーズスイッチ１０１−１および電子ダイヤル１０１−２が設けられ、光軸方向の撮影者側には、前記縦位置撮影用操作部材の残りの操作部材である、ＡＥ・測距ボタン１０１−３、ＡＦ選択ボタン１０１−４、および、ＡＶ設定ボタン１０１−５が設けられており、撮影装置１１０を図３のように縦位置に構えて撮影する際に、容易に撮影動作が行えるようになっている。これらの縦位置撮影用操作部材は、右手での操作を想定して、撮影装置１１０のグリップ部１２０（図３参照）側に設けられている。電源補助装置１００の底面には、ストラップ紐を通すストラップ部１０１−７、三脚に取り付けるための三脚ネジ穴１０１−８が設けられている。
【００１７】
尚、本実施例１では、縦位置撮影用操作部材の配置を上記のような配置としたが、本発明はこれに限定されるものではなく、他の機能を担当する操作部材を配置しても良いし、上記操作部材の一部が設けられていなくても適用可能である。
【００１８】
図４は、電源補助装置１００に挿入される電池マガジン２００の外観斜視図である。
【００１９】
電池マガジン２００には、６本の電池２００−１〜２００−６が、その長手方向が当該電源補助装置１００の装置長手方向と略一致する方向となり、かつ、前記装置長手方向と直交する光軸方向に並んで配置されている。詳しくは、装置長手方向には、電池２００−１と電池２００−６および電池２００−５の、又電池２００−２と電池２００−５および電池２００−４の、それぞれ一部が装置長手方向から見て重なるように配置（電池２００−３の装置長手方向は図示のように開いたスペースとなっている）され（後述の図６も参照）、装置長手方向と直交する光軸方向には、挿入操作部材１００−２側に４本の電池２００−３〜２００−６が配置され、グリップ部１２０（図３参照）側に２本の電池２００−１，２００−２が配置されている。６本の電池は公知の技術であるモールド爪により電池マガジン２００に保持される。尚、本実施例１では電池本数を６本としたが、本発明はこれに限定されるものではなく、少なくとも３本以上であれば適用可能である。
【００２０】
電池２００−２の光軸方向の被写体側であり、電池２００−３の装置長手方向のグリップ側は開いたスペースとなっており、この位置に後述するように縦位置撮影用操作部材の一部である、レリーズスイッチ１０１−１および電子ダイヤル１０１−２が設けられ、これらの領域に囲まれるようにして、電源補助装置１００（詳しくは、装置本体）との電気接続のためのマガジン電源接続部２００−７が設けられている。
【００２１】
図５は、電池マガジン２００と電源補助装置１００に設けられた縦位置撮影用操作部材とを光軸（図中、上下方向）に対して垂直真上から見た図である。紙面向かって上側が撮影者側であり、紙面向かって下側が被写体側である。また、紙面向かって左側がグリップ部１２０側である。
【００２２】
電池マガジン２００は、電源補助装置１００の装置本体に対して、図５の紙面向かって右から左方向へ挿入（装着）される。電池マガジン２００が電源補助装置１００に挿入されると、少なく配置された２本の電池２００−１，２００−２は、被写体側に配置されたレリーズスイッチ１０１−１および電子ダイヤル１０１−２と、撮影者側に配置されたＡＥ・測距ボタン１０１−３、ＡＦ選択ボタン１０１−４およびＡＶ設定ボタン１０１−５とで挟まれた空間まで侵入する。電池マガジン２００の電源補助装置１００への挿入完了位置から所定の距離手前以降で、電池マガジン２００のマガジン電源接続部２００−７と電源補助装置１００のグリップ電源接続部１０１−１０とが接触し、電気接続が行われる。電気接続は板バネ状の付勢力を持つ導通材で行われることが望ましいが、これに限定されるものではない。
【００２３】
グリップ電源接続部１０１−１０は、電源補助装置１００の装置本体の被写体側内壁に不図示のビスで固定されている。マガジン電源接続部２００−７とグリップ電源接続部１０１−１０とは、上述したように、レリーズスイッチ１０１−１、電子ダイヤル１０１−２、撮影装置１１０のグリップ部１２０側の電池２００−２、および、挿入操作部材１００−２側の電池２００−３で囲まれた空間に配置されている。グリップ電源接続部１０１−１０と外部接続部１００−５とは公知の技術で接続されており、マガジン電源接続部２００−７から供給される電池エネルギーを撮影装置１１０へ供給する。１０１−９はボタン１０１−３〜１０１−５を検知する実装部品を保持する実装保持部材であり、電源補助装置１００の撮影者側内壁に不図示のビスで固定されている。
【００２４】
図６は、電池２００−１〜２００−６のみを撮影装置１１０のグリップ部１２０側から装置長手方向に見た側面図である。
【００２５】
撮影装置１１０のグリップ部１２０側に配置された２本の電池２００−１，２００−２の幅Ｌ２は、挿入操作部材１００−２側に配置された４本の電池２００−３〜２００−６の幅Ｌ１よりも狭い。電池２００−１〜２００−６が山形に配置されているのは、電源補助装置１００に配置された三脚ネジ穴１０１−８とストラップ部１０１−７との干渉を避けるためである。
【００２６】
図７は、電源補助装置１００に具備される縦位置撮影用操作部材を配置した状態をグリップ部１２０側から装置長手方向に見た側面図である。
【００２７】
図示した縦位置撮影用操作部材は、少なくとも一部が挿入操作部材１００−２側に配置された４本の電池２００−３〜２００−６の幅Ｌ１よりも内側に配置されている。また、縦位置撮影用操作部材は、グリップ部１２０側に配置された２本の電池２００−１，２００−２との干渉を避けるために、電池２００−１と電池２００−２の幅Ｌ２よりも外側に配置されている。縦位置撮影用操作部材の一部である、レリーズスイッチ１０１−１および電子ダイヤル１０１−２は、被写体側に配置された電池２００−３，２００−４と電池長手方向（装置長手方向）のそれぞれ投影像が干渉する（重なる）ように配置されている。ＡＦ選択ボタン１０１−４は、撮影者側に配置された電池２００−６と電池長手方向のそれぞれの投影像が干渉するように配置されている。
【００２８】
上記実施例１によれば、電池２００−３〜２００−６の長手方向が電源補助装置１００の長手方向と略同一であり、撮影装置１１０のグリップ部１２０側に配置される電池本数とグリップ部１２０から装置長手方向において遠い側に配置される電池本数とが異なるようにしている。詳しくは、グリップ部１２０側に少ない本数（２本）の電池２００−１，２００−２を配置し、グリップ部１２０から装置長手方向において遠い側に多い本数（４本）の電池２００−３〜２００−６を配置している。そして、電池の少ない本数側の被写体側（光軸方向において）に縦位置撮影用操作部材の一部である、レリーズスイッチ１０１−１および電子ダイヤル１０１−２（以下、第１の操作部材とも記す）を配置し、撮影者側に、縦位置撮影用操作部材の残りのＡＥ・測距ボタン１０１−３、ＡＦ選択ボタン１０１−４およびＡＶ設定ボタン１０１−５（以下、第２の操作部材とも記す）を配置して、これら両操作部材とグリップ部１２０から装置長手方向において遠い側に配置された電池それぞれを装置長手方向から投影した際の投影像の少なくとも一部が重なるようにしている。
【００２９】
上記のような電池配置とすることにより、グリップ部１２０側の電池の本数が少ない光軸方向の一部が開いたスペースとなり、このスペースに第１の操作部材を配置することが可能となるので、当該電源補助装置１００の装置長手方向および光軸方向のいずれにおいても小型化することができる。
【００３０】
また、電池２００−１，２００−２と電池２００−３〜２００−６と第１の操作部材とで囲まれた空間に電源接続部２００−７を配置するようにしているので、該電源接続部２００−７を効率的に配置可能となる。
【実施例２】
【００３１】
図８および図９は本発明の実施例２に係わる、縦位置撮影用操作部材を具備する電源補助装置が一体に構成された撮影装置（以下、電源補助装置一体型カメラと記す）を示す図である。
【００３２】
図８は電源補助装置一体型カメラの外観正面図である。この電源補助装置一体型カメラ３１０には、縦位置撮影用操作部材が一体に構成されているため、上記実施例１のようにアクセサリーとして別売りされている電源補助装置を装着する手間が不要であり、縦位置撮影を容易に行えることになる。また、底面側には電池を保持する電池マガジンが挿入されており、電池マガジン外観部３００−１には、挿入操作部材３００−２が設けられている。電池マガジンは紙面向かって右から左に挿入される。
【００３３】
図９は電源補助装置一体型カメラ３１０の外観斜視図である。電源補助装置一体型カメラ３１０は、縦位置撮影用操作部材を使用可能にするために、縦位置切り換えスイッチ３０１−６が設けられており、縦位置切り換えスイッチ３０１−６を使用可能位置へ切り換えることで、縦位置撮影用操作部材を利用した撮影が可能となる。
【００３４】
電源補助装置一体型カメラ３１０のグリップ部３２０側の被写体側には、縦位置撮影用操作部材の一部である、レリーズスイッチ３０１−１および電子ダイヤル３０１−２が設けられ、撮影者側には、ＡＥ・測距ボタン３０１−３およびＡＦ選択ボタン３０１−４が設けられており、縦位置撮影時においても容易な撮影動作が行えるようになっている。３０１−５はＦＥボタンである。また、電源補助装置一体型カメラ３１０の底面には、ストラップ紐を通すストラップ部３０１−７および三脚に取り付けるための三脚ネジ穴３０１−８が設けられている。尚、本実施例２では、縦位置撮影用操作部材の配置を上記配置としたが、本発明はこれに限定されるものではなく、他の機能を担当する操作部材を配置しても良いし、上記操作部材の一部が設けられていなくても適用可能である。
【００３５】
電池マガジンの構成、複数の電池の配置は上記実施例１と同一であり、電源補助装置一体型カメラ３１０のグリップ部３２０側に２本の電池が、挿入操作部材３００−２側に４本の電池が、それぞれ配置されている。
【００３６】
尚、電池マガジンの構成、電池の配置は実施例１と同一であるため、各電池と縦位置撮影用操作部材との位置関係、各電池と電源接続部との位置関係の説明は省略する。また、本実施例２においても、上記実施例１と同様に電池本数を６本としたが、本発明はこれに限定されるものではなく、少なくとも３本以上であれば適用可能である。
【００３７】
上記実施例２によれば、６本の電池の長手方向が電源補助装置一体型カメラ３１０の横方向（図８の左右方向を意味する）と略同一であり、グリップ部３２０側に配置される電池本数とグリップ部３２０から前記横方向において遠い側に配置される電池本数とが異なるようにしている。そして、電池の少ない本数側の被写体側に縦位置撮影用操作部材の一部である、レリーズスイッチ３０１−１および電子ダイヤル３０１−２（以下、第１の操作部材とも記す）を配置し、撮影者側に、縦位置撮影用操作部材の残りのＡＥ・測距ボタン３０１−３およびＡＦ選択ボタン３１０−４（以下、第２の操作部材とも記す）を配置して、これら両操作部材とグリップ部３２０から前記横方向において遠い側に配置された電池それぞれを前記横方向から投影した際の投影像の少なくとも一部が重なるようにしている。
【００３８】
上記のような電池配置とすることにより、グリップ部３２０側の電池の本数が少ない光軸方向の一部が開いたスペースとなり、このスペースに第１の操作部材を配置することが可能となるので、当該電源補助装置一体型カメラ３１０の横方向および光軸方向のいずれにおいても小型化することができる。
【００３９】
また、少ない本数の電池と多い本数の電池と第１の操作部材とで囲まれた空間に不図示の電源接続部を配置するようにしているので、該電源接続部を効率的に配置可能となる。
【図面の簡単な説明】
【００４０】
【図１】本発明の実施例１に係わる電源補助装置の外観斜視図である。
【図２】同じく本発明の実施例１に係わる電源補助装置の外観斜視図である。
【図３】本発明の実施例１に係わる電源補助装置をカメラに取り付けた状態を示す正面図である。
【図４】本発明の実施例１に係わる電源補助装置の電池マガジンを示す斜視図である。
【図５】本発明の実施例１に係わる電源補助装置の電池マガジンとカメラ操作部材を示す上面図である。
【図６】本発明の実施例１に係わる電源補助装置の電池配置を示す側面図である。
【図７】本発明の実施例１に係わる電源補助装置の電池とカメラ操作部材を示す側面図である。
【図８】本発明の実施例２に係わる電源補助装置一体型カメラを示す正面図である。
【図９】本発明の実施例２に係わる電源補助装置一体型カメラを示す斜視図である。
【符号の説明】
【００４１】
１００        電源補助装置
１００−１    電池マガジン外観部
１００−２    挿入操作部材
１００−３    三脚ダイヤル
１０１−１    レリーズスイッチ
１０１−２    電子ダイヤル
１０１−３    ＡＥ測距ボタン
１０１−４    ＡＦ選択ボタン
１０１−５    ＡＶ設定ボタン
１０１−６    縦位置切り換えスイッチ
１０１−９    実装保持部材
１１０        撮影装置
１２０        グリップ部
２００        電池マガジン
２００−１〜２００−６    電池
２００−７    マガジン電源接続部
３００−２    挿入操作部材
３０１−１    レリーズスイッチ
３０１−２    電子ダイヤル
３０１−３    ＡＥボタン
３０１−４    ＡＦボタン
３０１−５    ＦＥボタン
３０１−６    電源補助装置一体型カメラ
３１０        カメラ
３２０        グリップ部
【図１】
2006220759.tif 000003
【図２】
2006220759.tif 000004
【図３】
2006220759.tif 000005
【図４】
2006220759.tif 000006
【図５】
2006220759.tif 000007
【図６】
2006220759.tif 000008
【図７】
2006220759.tif 000009
【図８】
2006220759.tif 000010
【図９】
2006220759.tif 000011